(57)【特許請求の範囲】
【請求項１】
円筒形に形成された直管型ＬＥＤランプと、
導電性材料で形成されて表面に絶縁材が塗装され、前記直管型ＬＥＤランプの前面に取り付けられる反射板と、
導電性材料で形成されて表面に絶縁材が塗装され、前記直管型ＬＥＤランプを前記反射板の前面に保持するランプ支持ばねとを備え、
前記ランプ支持ばねは、前記直管型ＬＥＤランプを握持する保持部と、向かい合う一対の爪部とを有し、
前記反射板は、前記爪部が互いに近づく方向に対して交差する取付孔が形成され、
前記爪部または前記取付孔の一方が先細りである照明器具。
【請求項２】
請求項１に記載の照明器具において、
前記取付孔は、最大寸法が前記爪部よりも大きく、かつ、最小寸法が前記爪部よりも小さい照明器具。
【請求項３】
請求項１または請求項２に記載の照明器具において、
前記取付孔が台形状であって離間距離を有し、
前記爪部の頂点間の距離が前記離間距離に同等または前記離間距離よりも大きい照明器具。
【請求項４】
請求項１ないし請求項３のうちのいずれか１項に記載の照明器具において、
前記ランプ支持ばねの前記爪部は、前記取付孔への取付前の前記反射板との傾斜角度よりも、前記取付孔への取付後の前記反射板との傾斜角度の方が大きい照明器具。
【請求項５】
請求項１ないし請求項４のうちのいずれか１項に記載の照明器具において、
前記爪部は、前記保持部が前記直管型ＬＥＤランプを握持した際に、前記反射板に食い込む照明器具。
【発明の詳細な説明】
【技術分野】
【０００１】
本発明は、例えばＬＥＤユニットを有する直管型ＬＥＤランプ等のランプを光源として天井面に設置される照明器具に関する。
【背景技術】
【０００２】
従来より、ランプ支持ばねを介して環状の蛍光ランプを設け、ランプ支持ばねの本体に対する取付部を中心からずらして設けた照明器具が知られている（例えば、特許文献１参照）。
特許文献１に記載の照明器具は、ランプ支持ばねの本体に対する取付方向を逆方向に変更することにより、ランプ支持ばねを取り付けるために器具本体に設けるビス孔を蛍光ランプの外径にかかわらず、位置変更する必要がない。
【先行技術文献】
【特許文献】
【０００３】
【特許文献１】特開２００４−３６３０３０号公報（図５、請求項１）
【発明の概要】
【発明が解決しようとする課題】
【０００４】
特許文献１に記載の照明器具は、器具本体にランプ支持ばねをねじ止めすることにより、ランプ支持ばねと器具本体とをアース導通できる。
しかし、特許文献１に記載の照明器具は、ねじを必要とするために、部品点数が増大する。
そこで、ねじを用いずにワンタッチ式に取り付けられるランプ支持ばねを備える照明器具が提案されている。
図１４に示すように、このような従来の照明器具１００は、器具本体１０１の所定位置に２個の取付孔１０２，１０３が設けられており、ランプ支持ばね１０４に、取付孔１０２に係合される係合片１０５と、取付孔１０３に係合される係合片１０６とを有する。
しかし、このような従来の照明器具１００は、係合片１０５，１０６によりランプ支持ばね１０４が器具本体１０１に単純に係合される。
従って、このような従来の照明器具１００は、ランプ支持ばね１０４と器具本体１０１とが確実にアース導通されない。
【０００５】
本発明は、前述した課題を解決するためになされたものであり、その目的は、ランプ支持ばねのアース導通を確実に確保できる照明器具を提供することにある。
【課題を解決するための手段】
【０００６】
本発明に係る照明器具は、円筒形に形成された直管型ＬＥＤランプと、導電性材料で形成されて表面に絶縁材が塗装され、前記直管型ＬＥＤランプの前面に取り付けられる反射板と、導電性材料で形成されて表面に絶縁材が塗装され、前記直管型ＬＥＤランプを前記反射板の前面に保持するランプ支持ばねとを備え、前記ランプ支持ばねは、前記直管型ＬＥＤランプを握持する保持部と、向かい合う一対の爪部とを有し、前記反射板は、前記爪部が互いに近づく方向に対して交差する取付孔が形成され、前記爪部または前記取付孔の一方が先細りである。
【０００７】
本発明に係る照明器具は、前記取付孔は、最大寸法が前記爪部よりも大きく、かつ、最小寸法が前記爪部よりも小さい。
【０００８】
本発明に係る照明器具は、前記取付孔が台形状であって離間距離を有し、前記爪部の頂点間の距離が前記離間距離に同等または前記離間距離よりも大きい。
【０００９】
本発明に係る照明器具は、前記ランプ支持ばねの前記爪部は、前記取付孔への取付前の前記反射板との傾斜角度よりも、前記取付孔への取付後の前記反射板との傾斜角度の方が大きい。
【００１０】
本発明に係る照明器具は、前記爪部は、前記保持部が前記直管型ＬＥＤランプを握持した際に、前記反射板に食い込む。
【発明の効果】
【００１１】
本発明に係る照明器具によれば、ランプ支持ばねのアース導通を確実に確保できるという効果を奏する。
【図面の簡単な説明】
【００１２】
【図１】本発明に係る一実施形態の照明器具の斜め下方から視た外観斜視図
【図２】本発明に係る一実施形態の照明器具の斜め下方から視た分解斜視図
【図３】本発明に係る一実施形態の照明器具のランプ支持ばねの斜め上方から視た外観斜視図
【図４】本発明に係る一実施形態の照明器具の取付孔周りの一部破断平面図
【図５】本発明に係る一実施形態の照明器具のランプ支持ばね周りの斜め上方から視た外観斜視図
【図６】本発明に係る一実施形態の照明器具のランプ支持ばね周りの一部破断正面図
【図７】本発明に係る一実施形態の照明器具のランプ支持ばね周りの斜め下方から視た外観斜視図
【図８】本発明に係る一実施形態の照明器具の変形例の直管型ＬＥＤランプの取付前のランプ支持ばね周りの一部破断正面図
【図９】本発明に係る一実施形態の照明器具の変形例の直管型ＬＥＤランプの取付後のランプ支持ばね周りの一部破断正面図
【図１０】本発明に係る一実施形態の照明器具の他の変形例の取付孔周りの一部破断平面図
【図１１】本発明に係る一実施形態の照明器具の他の変形例の取付孔周りの一部破断平面図
【図１２】本発明に係る一実施形態の照明器具の他の変形例の取付孔周りの一部破断平面図
【図１３】本発明に係る一実施形態の照明器具の他の変形例の取付孔周りの一部破断平面図
【図１４】従来の照明器具のランプ支持ばねの取付関係を説明する分解斜視図
【発明を実施するための形態】
【００１３】
以下、本発明に係る一実施形態の照明器具について図面を参照して説明する。
図１に示すように、本発明に係る一実施形態の照明器具１０は、器具本体１１と、器具本体１１の一端部に取り付けられた給電側ソケット（図２参照）１２と、器具本体１１の他端部に取り付けられた接地側ソケット１３とを備える。
また、照明器具１０は、給電側ソケット１２および接地側ソケット１３に電気的に接続されて機械的に取り付けられる直管型ＬＥＤランプ１４と、器具本体１１に取り付けられた一対の反射板取付部材１５と、電源端子台１６と、電源ブロック１７とを備える。
そして、照明器具１０は、直管型ＬＥＤランプ１４の前面に取り付けられる反射板１８と、直管型ＬＥＤランプ１４を反射板１８の前面に保持するための一対のランプ支持ばね１９とを備える。
照明器具１０は、不図示の天井面に設置されるベースライトに適用される。
【００１４】
図２に示すように、器具本体１１は、厚みの薄い金属製板部材により成形されており、下面に、電源端子台１６と、電源ブロック１７とが取り付けられている。
電源端子台１６には、電源配線２０が外部から引き込まれており、電源端子台１６からは電源ブロック１７に不図示の器具内配線が電気的に接続される。
電源ブロック１７からは、同じく不図示の器具内配線が給電側ソケット１２および接地側ソケット１３に電気的に接続される。
給電側ソケット１２は、給電側ソケット台２１を介して器具本体１１に取り付けられている。接地側ソケット１３は、接地側ソケット台２２を介して器具本体１１に取り付けられている。
【００１５】
直管型ＬＥＤランプ１４は、断面がほぼ円形状のガラス管２３の一端部の口金２４に、給電側ソケット１２内に収容されている不図示の一対の給電側端子受に電気的に接続される一対の給電側口金ピン２５をそれぞれ有する。
直管型ＬＥＤランプ１４は、ガラス管２３の他端部の口金２６に、接地側ソケット１３に収容されている不図示の接地側端子受に電気的に接続される単一の接地側口金ピン２７を有する。
【００１６】
直管型ＬＥＤランプ１４は、ガラス管２３内に、複数のＬＥＤ２８を器具本体１１の長手方向に実装させたＬＥＤ基板２９を有するＬＥＤユニット３０を内蔵している。
直管型ＬＥＤランプ１４は、給電側ソケット１２から給電された直流電流が給電側口金ピン２５から接地側口金ピン２７を通じて接地側ソケット台２２に流れる。
そして、直管型ＬＥＤランプ１４は、ＬＥＤ基板２９が有する不図示のプリント回路に直流電流が供給されてＬＥＤユニット３０が発光する。
直管型ＬＥＤランプ１４は、被照射対象に向けた照射範囲が全周に対して１／２ないし２／３である。
なお、直管型ＬＥＤランプ１４は、一端部の口金２４に一対の給電側口金ピン２５を有し、他端部の口金２６に単一の接地側口金ピン２７を有するものに限ることはない。
例えば、一端部の口金２４に３本の給電側口金ピン２５を有し、他端部の口金２６に２本の接地側口金ピン２７を有するものや、一端部の口金２４に２本の給電側口金ピン２５を有し、他端部の口金２６に２本の接地側口金ピン２７を有するものであってもよい。
【００１７】
反射板１８は、導電性金属材料により器具本体１１の長手方向に沿った長さを有して形成されており、表面に絶縁材料からなる白色や乳白色の塗装が施されている。
反射板１８は、天板３１と周板３２との内面に反射面３３を有し、天板３１の端部側に給電側ソケット１２および接地側ソケット１３を挿通させるための一対のソケット挿通孔（図７参照）３４を有する。
反射板１８は、一対の反射板取付部材１５により挟持されてねじ止めされることにより、給電側ソケット１２および接地側ソケット１３がソケット挿通孔３４を挿通して下方に向けて突出する。
【００１８】
図３に示すように、ランプ支持ばね１９は、弾性反発力を有するＳＫ鋼等の導電性金属材料により略Ｃ字形状に形成されて、表面に絶縁材料からなる白色や乳白色の塗装が施されている。
ランプ支持ばね１９は、断面視コ字形状に形成された本体３５に一対の爪部３６を有し、本体３５の下方に直管型ＬＥＤランプ１４のガラス管２３を握持するための一対の保持部３７を有する。
爪部３６は、幅寸法Ｌ１を有して先端に行くにしたがって先細の板形状に形成されて本体３５の上方に突出されており、先端部に折返状の食込部３８を有する。一対の爪部３６は、垂直断面視ハ字形状に配置されて離間寸法Ｌ２を有する。
保持部３７は、先端に行くにしたがって幅寸法が小さくなる先細状に形成されて、下方が解放されている。
【００１９】
図４に示すように、反射板１８は、天板３１の端部寄りにランプ支持ばね１９の一対の爪部３６を嵌着させるための一対の取付孔３９を有する。
取付孔３９は、台形状の貫通孔であって反射板１８の短手方向に離間距離Ｌ３を有し、爪部３６が互いに近づく方向に対して交差して配置されている。
取付孔３９は、爪部３６の幅寸法Ｌ１よりも大きい最大寸法Ｌ４を有する第１内側面４０と、爪部３６の幅寸法Ｌ１よりも小さい最小寸法Ｌ５を有する第２内側面４１とが平行に配置されている。
取付孔３９は、第１内側面４０と第２内側面４１との間に、第２内側面４１に直交する一対の第３内側面４２と、第１内側面４０および第３内側面４２に傾斜して接続される一対の傾斜面４３とを有する。
【００２０】
図５および図６に示すように、ランプ支持ばね１９は、一対の爪部３６を先にして、反射板１８の内面側から一対の取付孔３９に押圧されながら差し込まれていく。
そのため、ランプ支持ばね１９は、一対の爪部３６が離間距離Ｌ２を大きくするように拡げられて進行されていく。
そして、ランプ支持ばね１９は、拡げられた際に蓄積された弾性復元力により、一対の爪部３６の側面の端縁部が一対の取付孔３９の一対の傾斜面４３に対して押圧を伴って接触される。
これにより、ランプ支持ばね１９は、一対の爪部３６の側面の端縁部が一対の取付孔３９の一対の傾斜面４３にそれぞれ押圧を伴って接触されることにより、ランプ支持ばね１９の絶縁材の塗装および反射板１８の絶縁材の塗装をそれぞれ剥離できる。
従って、ランプ支持ばね１９は、先細りである爪部３６が互いに近づく方向に対して交差して形成された取付孔３９に対して押圧を伴って接触されるために、爪部３６の側面の端縁部が取付孔３９の傾斜面４３に強く接触して確実にアース導通を取得できる。
【００２１】
このとき、取付孔３９が、最大寸法が爪部３６の幅寸法Ｌ１よりも大きい最大寸法Ｌ４を有する第１内側面４０と、最小寸法が爪部３６の幅寸法Ｌ１よりも小さい第２内側面４１とを有する。
従って、爪部３６が、取付孔３９内において、側面の端縁部が最小寸法側の傾斜面４３に対して接触されるために、爪部３６が取付孔３９に対して確実にアース導通を取得できる。
【００２２】
そして、ランプ支持ばね１９は、一対の爪部３６の頂点間の距離Ｌ６が、一対の取付孔３９の離間距離Ｌ３に同等または離間距離Ｌ３よりも大きい。
従って、取付孔３９に挿入されることにより、弾性復元力が蓄積された爪部３６が、取付孔３９の最小寸法側の傾斜面４３に強く接触して確実にアース導通を取得できる。
【００２３】
ランプ支持ばね１９は、爪部３６が、取付孔３９内において、反射板１８の長手方向に十分な長さの食込代寸法Ｌ７を有する。
ランプ支持ばね１９は、一対の爪部３６がハ字形状をなしていて、爪部３６が取付孔３９に嵌入される前において、爪部３６と反射板１８の天板３１との傾斜が９０度よりも小さい角度θ１である。
そして、ランプ支持ばね１９は、爪部３６が取付孔３９に嵌入されることにより、角度θ１よりも大きい角度θ２に弾性変形されて弾性復元力が蓄積される。
従って、爪部３６と反射板１８の天板３１との傾斜が角度θ２、すなわち、角度θ１≠角度θ２となることにより、弾性復元力が蓄積された爪部３６が、取付孔３９の傾斜面４３に強く接触して確実にアース導通を取得できる。
【００２４】
ランプ支持ばね１９は、直管型ＬＥＤランプ１４を取り付ける際に、保持部３７が直管型ＬＥＤランプ１４の外径寸法よりも大きくなるように図６中の矢印方向に弾性変形される。
保持部３７が直管型ＬＥＤランプ１４の外径寸法よりも大きくなるように図６中の矢印の方向に弾性変形されることにより、保持部３７の弾性変形に伴う分力が爪部３６に作用する。
従って、爪部３６の食込部３８が反射板１８の天板３１に食い込むことにより、爪部３６の先端部においても確実にアース導通を取得できる。
なお、食込部３８は、直管型ＬＥＤランプ１４が取り付けられる際のみならず、一対の爪部３６が一対の取付孔３９に嵌入されるだけも反射板１８に食い込む。
【００２５】
図７に示すように、ランプ支持ばね１９は、反射板１８に形成されたソケット挿通孔３４を挿通して下方に向けて突出する給電側ソケット１２および接地側ソケット１３の近傍に配置される。
そして、ランプ支持ばね１９の保持部３７に握持されることにより、直管型ＬＥＤランプ１４が反射板１８の下方に保持される。
【００２６】
図８に示すように、照明器具１０の変形例は、ランプ支持ばね１９の爪部３６の先端部が、直管型ＬＥＤランプ１４の取付前に反射板１８の天板３１との間に隙間５１を有する。
図９に示すように、ランプ支持ばね１９の保持部３７に直管型ＬＥＤランプ１４が取り付けられて、保持部３７が図８中に示す矢印の方向に弾性変形されるのに伴い、爪部３６に分力が作用する。
そして、爪部３６の食込部３８が反射板１８の天板３１に食い込むことにより、爪部３６の先端部においても確実にアース導通を取得できる。
【００２７】
図１０に示すように、照明器具１０の他の変形例は、反射板１８の天板３１に、一対の傾斜面を有さない台形状の貫通孔である取付孔５２を有する。
取付孔５２は、爪部３６の幅寸法よりも大きい最大寸法を有する第１内側面５３と、爪部３６の幅寸法よりも小さい最小寸法を有する第２内側面５４とが平行に配置されている。
取付孔５２は、第１内側面５３と第２内側面５４との間に、第２内側面５４に直交する一対の第３内側面５５と、第１内側面５３および第３内側面５５に傾斜して接続される単一の傾斜面５６とを有する。
【００２８】
図１１に示すように、照明器具１０の他の変形例は、反射板１８の天板３１に、菱形の貫通孔である取付孔５７を有する。
取付孔５７は、爪部３６の幅寸法よりも大きい最大寸法を有し、かつ、爪部３６の幅寸法よりも小さい最小寸法を有する二対の内側面５８を備える。
【００２９】
図１２に示すように、照明器具１０の他の変形例は、反射板１８の天板３１に、円形の貫通孔である取付孔５９を有する。
取付孔５９は、爪部３６の幅寸法よりも大きい最大寸法を有し、かつ、爪部３６の幅寸法よりも小さい最小寸法を有する円形の内側面６０を備える。
【００３０】
図１３に示すように、照明器具１０の他の変形例は、反射板１８の天板３１に、三角形の貫通孔である取付孔６１を有する。
取付孔６１は、爪部３６の幅寸法よりも大きい最大寸法を有し、かつ、爪部３６の幅寸法よりも小さい最小寸法を有する三個の内側面６２を備える。
【００３１】
以上、説明したように一実施形態の照明器具１０によれば、ランプ支持ばね１９が、先細りである爪部３６が互いに近づく方向に対して交差して形成された取付孔３９，５２，５７，５９，６１に対して押圧を伴って接触される。
従って、一実施形態の照明器具１０によれば、爪部３６の側面の端縁部が取付孔３９，５２，５７，５９，６１に強く接触して確実にアース導通を取得できる。
【００３２】
また、一実施形態の照明器具１０によれば、爪部３６の側面の端縁部が、取付孔３９，５２，５７，５９，６１内において最小寸法側に対して接触されるために、爪部３６が取付孔３９，５２，５７，５９，６１に対して確実にアース導通を取得できる。
【００３３】
そして、一実施形態の照明器具１０によれば、取付孔３９，５２，５７，５９，６１に挿入されることにより、弾性復元力が蓄積された爪部３６が、取付孔３９，５２，５７，５９，６１の最小寸法側に強く接触して、確実にアース導通を取得できる。
【００３４】
さらに、一実施形態の照明器具１０によれば、爪部３６が取付孔３９，５２，５７，５９，６１に挿入されることにより、爪部３６と反射板１８の天板３１との傾斜が角度θ１よりも大きい角度θ２に弾性変形されて弾性復元力が蓄積される。
従って、爪部３６と反射板１８の天板３１との傾斜が角度θ２となることにより弾性復元力が蓄積された爪部３６が、取付孔３９，５２，５７，５９，６１に強く接触して確実にアース導通を取得できる。
【００３５】
さらにまた、一実施形態の照明器具１０によれば、保持部３７が直管型ＬＥＤランプ１４を握持した際に拡げられることにより生ずる分力に伴い、爪部３６の食込部３８が反射板１８の天板３１に食い込む。
従って、一実施形態の照明器具１０によれば、爪部３６の先端部においても確実にアース導通を取得できる。
【００３６】
なお、本発明の照明器具において器具本体，給電側ソケット，接地側ソケット，直管型ＬＥＤランプ，反射板，電源端子台，電源ブロック等は、前述した一実施形態に限定されるものでなく、適宜な変形や改良等が可能である。
【符号の説明】
【００３７】
１０  照明器具
１４  直管型ＬＥＤランプ
１８  反射板
１９  ランプ支持ばね
３６  爪部
３７  保持部
３９，５２，５７，５９，６１  取付孔
【図１】
0005615192.tif 000002
【図２】
0005615192.tif 000003
【図３】
0005615192.tif 000004
【図４】
0005615192.tif 000005
【図５】
0005615192.tif 000006
【図６】
0005615192.tif 000007
【図７】
0005615192.tif 000008
【図８】
0005615192.tif 000009
【図９】
0005615192.tif 000010
【図１０】
0005615192.tif 000011
【図１１】
0005615192.tif 000012
【図１２】
0005615192.tif 000013
【図１３】
0005615192.tif 000014
【図１４】
0005615192.tif 000015